(57)【要約】【課題】簡易な構成の機械的設定により検出感度を低感度から高感度に設定すると同時に、強制的に高速動作に設定するようになされた漏電遮断器を提供する。【解決手段】漏電遮断器では、拘束設定部１７０の感度切換用延長スライドスイッチ１７１ｂを操作移動させて感度切換用設定部１２０を高感度（３０ｍＡ）に設定しようとすると、突設部１７１ａが時延切換用延長スライドスイッチ１７２ｂを押し出して移動させ、時延切換用設定部１５０が高速動作（時延０ｍｓ）に強制的に設定される。【選択図】図３
2011086434.tif 000002
【特許請求の範囲】
【請求項１】
貫通する主回路導体の負荷電流中に含まれる不平衡電流に比例した２次出力電流信号を出力する零相変流器と、
高感度から低感度まで複数段階に感度切換がなされ、感度切換により設定された抵抗値に２次出力電流信号を流して検出動作電圧信号を出力させる感度切換用設定部と、
感度切換用設定部から出力された検出動作電圧信号よりノイズ成分を除去した検出動作電圧信号を出力するフィルタ回路と、
検出動作電圧信号の電圧値が予め定められている閾値を越えた場合には、駆動電圧信号を出力する漏電検出部と、
高速動作から時延動作まで複数段階に時延切換がなされ、高速動作時では駆動電圧信号を入力してから即時に、または、時延動作時では駆動電圧信号を入力してから予め設定された時延時間経過後に、駆動電圧信号を出力する時延切換用設定部と、
駆動電圧信号を入力した場合に、主回路接点の開閉機構部を駆動して主回路を開路する引外し装置と、
感度切換用設定部の感度切換と時延切換用設定部の時延切換とを機械的に連動させ、感度切換用設定部の感度切換に応じて時延切換用設定部の時延切換の時延切換範囲を拘束することで感度に対する設定可能な動作速度を決定するようになされ、感度切換用設定部が高感度に設定されるときに時延切換用設定部を高速動作のみに拘束して設定する拘束設定部と、
を備えることを特徴とする漏電遮断器。
【請求項２】
請求項１に記載の漏電遮断器において、
前記拘束設定部は、
感度切換用設定部の感度切換用スライドスイッチと連結し、この感度切換用スライドスイッチを移動させる感度切換用延長スライドスイッチを有する感度切換用延長設定部と、
時延切換用設定部の時延切換用スライドスイッチと連結し、この時延切換用スライドスイッチを移動させる時延切換用延長スライドスイッチを有する時延切換用延長設定部と、
感度切換用延長スライドスイッチに機械的に連結されて一部が時延切換用延長スライドスイッチの動線上に位置し、感度切換用延長スライドスイッチの移動に応じて時延切換用延長スライドスイッチを押すことによる移動または時延切換用延長スライドスイッチの移動の拘束を行う突設部と、
を備えることを特徴とする漏電遮断器。
【請求項３】
請求項２に記載の漏電遮断器において、
前記感度切換用延長スライドスイッチに代えて、前記突設部を除去した感度切換用延長スライドスイッチを採用することにより感度切換用延長設定部と時延切換用延長設定部とをそれぞれ独立して設定できるようにしたことを特徴とする漏電遮断器。
【発明の詳細な説明】
【技術分野】
【０００１】
本発明は、低電圧配電系統において過電流保護および地絡電流保護を行う漏電遮断器に関する。
【背景技術】
【０００２】
漏電遮断器は漏電発生時に交流電路を遮断する機能を有しており、交流電路の事故発生を防止する。この漏電遮断器は、その遮断動作を行う漏電電流の値である感度電流の切り換えや、または、時延動作時間の設定値である時延時間の切り換えを可能とする。
【０００３】
このような種類の漏電遮断器の従来技術としては、日本国内型の漏電遮断器と、外国型（欧米型）の漏電遮断器と、で大別される。まず日本国内型の漏電遮断器について図を参照しつつ説明する。図７は従来技術の国内型の漏電遮断器１０の構成図である。漏電遮断器１０は、零相変流器１１と、感度切換用設定部１２と、フィルタ回路１３と、漏電検出部１４と、時延切換用設定部１５と、引外し装置１６と、を備える。
【０００４】
このような回路構成の漏電遮断器１０は、以下のように動作する。
零相変流器１１では、鉄心１１ａに図示しない主回路導体が貫通され、主回路導体を流れる負荷電流中に地絡等により発生した地絡電流や漏電により発生した漏電電流（以下、これら電流を不平衡電流という）が含まれていると、その出力巻線１１ｂから不平衡電流に比例した２次出力電流信号を出力する。この２次出力電流信号は、感度切換用設定部１２へ入力される。
【０００５】
感度切換用設定部１２では、出力巻線１１ｂの両端に接続されている抵抗を、図示しない設定スイッチにより切換えることで抵抗値を変更して検出可能な２次出力電流信号を高感度から低感度まで段階的に切換設定できるようになされている。感度切換範囲は、１００ｍＡ／３００ｍＡ／５００ｍＡと設定可能であり、通常感度（１００ｍＡ）から低感度（５００ｍＡ）までの切換設定が可能である。なお、後述する高感度（３０ｍＡ）は設定できない。感度切換用設定部１２は、感度切換により設定された抵抗値に２次出力電流信号を流して検出動作電圧信号を出力する。
【０００６】
フィルタ回路１３は、感度切換用設定部１２を経て出力された検出動作電圧信号から誤動作の原因となるノイズ成分を除去した検出動作電圧信号を出力する。検出動作電圧信号は漏電検出部１４へ出力される。
漏電検出部１４は、検出動作電圧信号の電圧値が予め定められている閾値を越えた場合には、駆動電圧信号を出力する。駆動電圧信号は、時延切換用設定部１５へ出力される。
【０００７】
時延切換用設定部１５は、図示しないが時延時間の切換設定が可能となる時延切換スイッチと、この時延切換スイッチにより切換設定された時延時間に応じて切換がなされる複数の充電抵抗と、これら充電抵抗により決定される充電電流で充電される充電回路とを内蔵しており、予め時延切換スイッチにより時延時間が切換設定されるとその時延時間に対応する充電抵抗が選択されて充電回路に接続されるものとする。このような時延切換用設定部１５に駆動電圧信号が入力されると充電回路への充電が開始し、時延時間と一致する充電期間は充電回路からの出力が所定電圧とならず、時延時間経過後に充電終了して所定電圧に到達した駆動電圧信号を引外し装置１６へ出力する。
【０００８】
引外し装置１６は、設定された時延時間経過後に駆動電圧信号を入力した場合に、図示しない主回路接点の開閉機構部を駆動して主回路を開路する。
このような日本国内型の漏電遮断器１００は、感度切換用設定部１２と時延切換用設定部１５とを備え、感度切換と時延切換とをそれぞれ独立して設定できるようになされている。なお、国内型で準拠されているＪＩＳ規格（ＪＩＳ  Ｃ  ８３７１）では、高感度（３０ｍＡ感度）時には、人体保護を目的として非時延形（高速動作形）でなくてはならないと規定されており、換言すれば、時延設定可能な漏電遮断器１００は、人体保護を目的として高感度（３０ｍＡ感度）に切換設定できないようになされていた。
【０００９】
続いて外国型（欧米型）の漏電遮断器について説明する。外国型（欧米型）の漏電遮断器は、配線用遮断器に別構造の独立した漏電保護ユニットを組み合わせて使用している。このような外国型（欧米型）の漏電遮断器について図を参照しつつ説明する。図８は従来技術の外国型の漏電遮断器２０の構成図である。漏電遮断器２０は、零相変流器２１と、感度切換用設定部２２と、フィルタ回路２３と、漏電検出部２４と、時延切換用設定部２５と、引外し装置２６を備える。
【００１０】
このような回路構成の漏電遮断器２０は、以下のように動作する。
零相変流器２１では、鉄心２１ａに図示しない主回路導体が貫通され、主回路導体を流れる負荷電流中に不平衡電流が含まれていると、その出力巻線２１ｂから不平衡電流に比例した２次出力電流信号を出力する。この２次出力電流信号は、感度切換用設定部２２へ入力される。
【００１１】
感度切換用設定部２２では、出力巻線２１ｂの両端に接続されている抵抗を、図示しない設定スイッチにより切換えて、抵抗値を変更して高感度から低感度まで段階的に設定できるようになされている。感度切換用設定部２２は、切換設定された抵抗値の抵抗に２次出力電流信号を流して検出動作電圧信号を出力する。なお、この感度切換用設定部２２では感度切換を行う第１，第２の回路を備え、第１の回路では高感度から低感度まで感度切換を行うための回路であり、第２の回路では高感度に設定されたときは高速動作とし、それ以外を時延動作とするための回路である。
【００１２】
例えば、図８で示すように感度切換範囲は、３０ｍＡ／１００ｍＡ／３００ｍＡ／５００ｍＡとあり、先の図７で示した国内型の漏電遮断器１０と比較しても、より高感度（３０ｍＡ）に切換設定することが可能である。そして、第１の回路で高感度に切換設定（３０ｍＡ）した際は、さらに第２の回路により強制的に高速動作するように設定され、高感度３０ｍＡ強制高速信号（図８中の矢印α）を、フィルタ回路２３、漏電検出部２４をとばして、時延切換用設定部２５に対して直接出力する。なお、この場合の時延切換用設定部２５の動作は後述する。
【００１３】
まとめると、高感度（３０ｍＡ）の場合は時延切換用設定部２５へ高感度３０ｍＡ強制高速信号（図８中の矢印α）が出力され、それ以外の感度（１００ｍＡ／３００ｍＡ／５００ｍＡ）の場合はフィルタ回路２３へ検出動作電圧信号が出力される。
【００１４】
フィルタ回路２３は、感度切換用設定部２２を経て出力された検出動作電圧信号から誤動作の原因となるノイズ成分を除去した検出動作電圧信号を出力する。検出動作電圧信号は漏電検出部２４へ出力される。
漏電検出部２４は、検出動作電圧信号の電圧値が予め定められている閾値を越えた場合には、駆動電圧信号を出力する。駆動電圧信号は、時延切換用設定部２５へ出力される。
【００１５】
時延切換用設定部２５は、図示しないが時延時間の切換設定が可能となる時延切換スイッチと、この時延切換スイッチにより切換設定された時延時間に応じて切換えられる複数の充電抵抗と、これら充電抵抗により決定される充電電流で充電される充電回路とを内蔵しており、予め時延切換スイッチにより時延時間が切換設定されるとその時延時間に対応する充電抵抗が選択されて充電回路に接続されるものとする。このような時延切換用設定部２５に駆動電圧信号が入力されると充電回路への充電が開始し、時延時間と一致する充電期間は充電回路からの出力が所定電圧とならず、時延時間経過後に充電終了して所定電圧に到達した駆動電圧信号を引外し装置２６へ出力する。なお、先に説明した高感度３０ｍＡ強制高速信号を入力した場合には、時延切換用設定部２５は、即座に引外し装置２６へ駆動電圧信号として出力する。
【００１６】
引外し装置２６は、駆動電圧信号を入力した場合に、図示しない主回路接点の開閉機構部を駆動して主回路を開路する。
このように外国型（欧米型）は単一構造の国内型とは異なり、低感度や通常感度への切換設定に加えて高感度への切換設定が可能であり、高感度への切換設定を行う際、時延切換においても強制的に高速動作するというものであり、規格（ＩＥＣ９４７−２）に準拠している。
【００１７】
また、これらのような漏電遮断器の例として、例えば、特許文献１（発明の名称：漏電遮断器）が知られている。この特許文献１によれば、高感度への切換設定時にスイッチから信号が出力されて、時延切換においても強制的に高速動作に切換設定される漏電遮断器が開示されている。
【００１８】
また、漏電遮断器の他の例として、特許文献２に開示された発明（発明の名称：漏電遮断器）が知られている。この特許文献２によれば、高感度への切換設定時にデコード回路から信号が出力されて、時延設定においても強制的に高速動作に切換設定される漏電遮断器が開示されている。
【００１９】
また、漏電遮断器の他の例として、特許文献３に開示された発明（発明の名称：漏電遮断器）が知られている。この特許文献３によれば、ダイヤル式のスイッチの設定により、感度電流切換えと時限切換えとを共に行う漏電遮断器が開示されている。
【先行技術文献】
【特許文献】
【００２０】
【特許文献１】特開２００５−３２７６６６号公報（段落番号［００３１］，［００３２］，図１，図２）
【特許文献２】特開２００５−２６８０９７号公報（段落番号［００２０］，図１，図２）
【特許文献３】特開平７−１４１９７９号公報（段落番号［００１１］，［００１２］，図２，図３，図４）
【発明の概要】
【発明が解決しようとする課題】
【００２１】
上記の図７の国内型の漏電遮断器１０は、感度切換用設定部１２や時延切換用設定部１５を一体に含む構造であるが、外国型のように高感度に切換設定すると同時に高速動作に切換設定するものではなかった。
【００２２】
そこで、図８の外国型の漏電遮断器２０のように、高速動作と時延動作とを選択できるとともに高感度から低感度まで設定できるようにし、高感度に設定する際には時延設定についても強制的に高速動作に切換設定するような漏電遮断器にしたいという要請があるが、図８で示す従来技術の漏電遮断器２０は、感度切換用設定部２２と時延切換用設定部２５とを結ぶパターン配線において、高感度３０ｍＡ強制高速信号、つまり、振幅の小さい信号が通過することに起因してノイズに影響されやすいためノイズ対策が必要であり、配線パターンが複雑になるという問題があった。
【００２３】
また、外国型（欧米型）と同様の機能を持たせるには、２回路の感度切換用設定部と１回路の時延切換用設定部を設けることで対応可能となるが、２回路の感度切換用設定部が非常に大きいため漏電遮断器が大型化する問題があった。国内型のように小型構成を確保したいという要請があった。
【００２４】
特許文献１の漏電遮断器は、押し釦式高速スイッチのオン・オフ判定で高速動作の設定を行うというものであって電気信号を用いており、完全にノイズの影響を除去できないものであった。
【００２５】
特許文献２の漏電遮断器は、論理デコード回路を用いて設定を行うというものであって電気信号を用いており、完全にノイズの影響を除去できないものであった。
【００２６】
特許文献３の漏電遮断器は、高速動作と時延動作とを機械式設定により選択できるが高感度に設定しても強制的に時延設定を高速動作に設定するというものではなく、安全性の観点から問題があった。
【００２７】
まとめると、ノイズに影響を受けない機械的な構成を用いて、高感度から低感度までの感度切換、および、高速動作から時延動作までの時延切換が可能であって、特に高感度に切換設定すると同時に、時延切換において強制的に高速動作に設定する漏電遮断器に関して、相互に独立した１回路の感度切換用設定部と１回路の時延切換用設定部とし、かつ感度切換で高感度に切換設定すると同時に時延切換で強制的に高速動作へ時延設定することができるようにしたいという要請があった。
【００２８】
そこで、本発明は上記した問題に鑑みてなされたものであり、その目的は、簡易な構成の機械的設定により検出感度を低感度から高感度に設定すると同時に、強制的に高速動作に設定するようになされた漏電遮断器を提供することにある。
【課題を解決するための手段】
【００２９】
上記課題を解決するため、請求項１に記載した発明の漏電遮断器は、
貫通する主回路導体の負荷電流中に含まれる不平衡電流に比例した２次出力電流信号を出力する零相変流器と、
高感度から低感度まで複数段階に感度切換がなされ、感度切換により設定された抵抗値に２次出力電流信号を流して検出動作電圧信号を出力させる感度切換用設定部と、
感度切換用設定部から出力された検出動作電圧信号よりノイズ成分を除去した検出動作電圧信号を出力するフィルタ回路と、
検出動作電圧信号の電圧値が予め定められている閾値を越えた場合には、駆動電圧信号を出力する漏電検出部と、
高速動作から時延動作まで複数段階に時延切換がなされ、高速動作時では駆動電圧信号を入力してから即時に、または、時延動作時では駆動電圧信号を入力してから予め設定された時延時間経過後に、駆動電圧信号を出力する時延切換用設定部と、
駆動電圧信号を入力した場合に、主回路接点の開閉機構部を駆動して主回路を開路する引外し装置と、
感度切換用設定部の感度切換と時延切換用設定部の時延切換とを機械的に連動させ、感度切換用設定部の感度切換に応じて時延切換用設定部の時延切換の時延切換範囲を拘束することで感度に対する設定可能な動作速度を決定するようになされ、感度切換用設定部が高感度に設定されるときに時延切換用設定部を高速動作のみに拘束して設定する拘束設定部と、
を備えることを特徴とする。
【００３０】
また、請求項２に記載した発明の漏電遮断器は、
請求項１に記載の漏電遮断器において、
前記拘束設定部は、
感度切換用設定部の感度切換用スライドスイッチと連結し、この感度切換用スライドスイッチを移動させる感度切換用延長スライドスイッチを有する感度切換用延長設定部と、
時延切換用設定部の時延切換用スライドスイッチと連結し、この時延切換用スライドスイッチを移動させる時延切換用延長スライドスイッチを有する時延切換用延長設定部と、
感度切換用延長スライドスイッチに機械的に連結されて一部が時延切換用延長スライドスイッチの動線上に位置し、感度切換用延長スライドスイッチの移動に応じて時延切換用延長スライドスイッチを押すことによる移動または時延切換用延長スライドスイッチの移動の拘束を行う突設部と、
を備えることを特徴とする。
【００３１】
また、請求項３に記載した発明の漏電遮断器は、
請求項２に記載の漏電遮断器において、
前記感度切換用延長スライドスイッチに代えて、前記突設部を除去した感度切換用延長スライドスイッチを採用することにより感度切換用延長設定部と時延切換用延長設定部とをそれぞれ独立して設定できるようにしたことを特徴とする。
【発明の効果】
【００３２】
本発明によれば、簡易な構成の機械的設定により検出感度を低感度から高感度に設定すると同時に、強制的に高速動作に設定するようになされた漏電遮断器を提供することができる。
【図面の簡単な説明】
【００３３】
【図１】本発明を実施するための形態の漏電遮断器の構成図である。
【図２】本発明を実施するための形態の漏電遮断器の拘束設定部の説明図である。
【図３】感度切換用延長設定部および時延切換用延長設定部の説明図である。
【図４】感度切換用延長設定部および時延切換用延長設定部の説明図である。
【図５】拘束設定部による設定拘束の説明図であり、図５（ａ）は感度切換用延長スライドスイッチおよび時延切換用延長スライドスイッチの位置の説明図、図５（ｂ）は感度切換用スイッチおよび時延切換用スイッチの位置の説明図である。
【図６】拘束設定部による設定拘束の説明図であり、図６（ａ）は感度切換用延長スライドスイッチおよび時延切換用延長スライドスイッチの位置の説明図、図６（ｂ）は感度切換用スイッチおよび時延切換用スイッチの位置の説明図である。
【図７】従来技術の国内型の漏電遮断器の構成図である。
【図８】従来技術の外国型の漏電遮断器の構成図である。
【発明を実施するための形態】
【００３４】
続いて、本発明の実施形態について図１〜図６を参照しつつ以下に説明する。漏電遮断器１００は、図１で示すように、零相変流器１１０と、感度切換用設定部１２０と、フィルタ回路１３０と、漏電検出部１４０と、時延切換用設定部１５０と、引外し装置１６０と、拘束設定部１７０と、を備える。本形態の漏電遮断器１００は、従来技術と重複する点もあるが、説明の都合上再度説明する。
【００３５】
このような回路構成の漏電遮断器１００は、以下のように動作する。
零相変流器１１０では、鉄心１１０ａに図示しない主回路導体が貫通され、主回路導体を流れる負荷電流中に不平衡電流が含まれていると、その出力巻線１１０ｂから不平衡電流に比例した２次出力電流信号を出力する。この２次出力電流信号は、感度切換用設定部１２０へ入力される。
【００３６】
感度切換用設定部１２０は、感度の切換設定を行う感度切換用スライドスイッチ１２１（図３参照）を備える。そして、感度切換用設定部１２０は、拘束設定部１７０と連動する感度切換用スライドスイッチ１２１により、出力巻線１１０ｂの両端に接続される抵抗を切換えることで抵抗値を変更して高感度から低感度まで段階的に切換設定できるようになされている。感度切換用設定部１２０は、切換設定された抵抗に２次出力電流信号を流して検出動作電圧信号を出力する。この感度切換用設定部１２０は高感度から低感度まで感度切換を行えるようになされており、感度切換範囲が３０ｍＡ／１００ｍＡ／３００ｍＡ／５００ｍＡというように、段階的な感度の切換設定が可能である。
【００３７】
フィルタ回路１３０は、感度切換用設定部１２０を経て出力された検出動作電圧信号から誤動作の原因となるノイズ成分を除去した検出動作電圧信号を出力する。検出動作電圧信号は漏電検出部１４０へ出力される。
【００３８】
漏電検出部１４０は、検出動作電圧信号の電圧値が予め定められている閾値を越えた場合には、駆動電圧信号を出力する。この駆動電圧信号は、時延切換用設定部１５０へ出力される。
【００３９】
時延切換用設定部１５０は、時延時間の切換設定が可能となる時延切換用スライドスイッチ１５１（図３参照）と、この時延切換用スライドスイッチ１５１により設定された時延時間に応じて切換えられる複数の充電抵抗と、この選択された充電抵抗により決定される充電電流で充電される充電回路（具体例としてはコンデンサである。）とを内蔵する。時延切換用設定部１５０は、予め時延切換用スライドスイッチ１５１により時延時間が切換設定されるとその時延時間に対応する充電抵抗が選択されて充電回路に接続されるものとする。時延動作時においてこのような時延切換用設定部１５０に駆動電圧信号が入力されると充電回路への充電が開始し、時延時間と一致する充電期間では充電回路からの出力が所定電圧とならず、時延時間経過後に充電終了して所定電圧に到達した駆動電圧信号を引外し装置１６０へ出力する。加えて時延切換用設定部１５０は、漏電検出部１４０と引外し装置１６０とを直接接続する高速導通部も備えており、後述するが高速動作時に選択される。
【００４０】
引外し装置１６０は、時延動作または高速動作の何れかの駆動電圧信号を入力した場合に、図示しない主回路接点の開閉機構部を駆動して主回路を開路する。
【００４１】
拘束設定部１７０は、感度切換用設定部１２０の感度切換と時延切換用設定部１５０の時延切換とを機械的に連動させ、感度切換用設定部１２０の感度切換に応じて時延切換用設定部１５０の時延切換時における時延切換範囲を拘束することで感度に対する設定可能な動作速度を決定する。そして、感度切換用設定部１２０が高感度に設定されるときに拘束設定部１７０は、時延切換用設定部１５０を高速動作のみに拘束して設定する。図１中の点線による矢印Ａ，Ｂは拘束設定部１７０が、感度切換用設定部１２０と時延切換用設定部１５０とを機械的に拘束することを示している。
【００４２】
このような漏電遮断器１００では、感度切換用設定部１２０で３０ｍＡ／１００ｍＡ／３００ｍＡ／５００ｍＡと段階的に感度設定が可能であり、また、時延切換用設定部１５０で０ｍｓ／２００ｍｓ／５００ｍｓ／１０００ｍｓと段階的に時延設定が可能である。そして、漏電遮断器１００の特徴として、感度切換用設定部１２０と時延切換用設定部１５０とを機械的に連動して操作する拘束設定部１７０を新たに設け、特に感度切換用設定部１２０で高感度（３０ｍＡ）に設定されると、機械的に時延切換用設定部１５０で高速動作（０ｍｓ）に設定されるようにした。
【００４３】
続いて、このような感度切換用設定部１２０、時延切換用設定部１５０および拘束設定部１７０の機械的構造の詳細について説明する。図２〜図４で示すように、感度切換用設定部１２０および時延切換用設定部１５０は、拘束設定部１７０の機械的連動構造により設定が拘束される。感度切換用設定部１２０は、感度切換用スライドスイッチ１２１を備える。時延切換用設定部１５０は、時延切換用スライドスイッチ１５１を備える。こられ感度切換用設定部１２０および時延切換用設定部１５０は、プリント基板１８０上に固定され、パターン配線上に電気的に接続されている。拘束設定部１７０は、さらに感度切換用延長設定部１７１、時延切換用延長設定部１７２を備える。
【００４４】
図３で示すように、感度切換用設定部１２０の上側には、感度切換用延長設定部１７１が取り付けられる。取り付け状態は図４で示すようになる。感度切換用延長設定部１７１は、突設部１７１ａ、感度切換用延長スライドスイッチ１７１ｂ、感度切換用中間アダプタ１７１ｃを備える。具体的には、感度切換用スライドスイッチ１２１に感度切換用中間アダプタ１７１ｃ内の連動機構を介して感度切換用延長スライドスイッチ１７１ｂが取り付けられる。そして、感度切換用延長スライドスイッチ１７１ｂを図３の矢印ａ方向（または矢印ｂ方向）に移動させると感度切換用中間アダプタ１７１ｃの連動機構を介して感度切換用設定部１２０の感度切換用スライドスイッチ１２１も同じ矢印ａ方向（または矢印ｂ方向）に移動する。
【００４５】
また、図３で示すように、時延切換用設定部１５０の上側には、時延切換用延長設定部１７２が取り付けられる。取り付け状態は図４で示すようになる。時延切換用延長設定部１７２は、当接部１７２ａ、時延切換用延長スライドスイッチ１７２ｂ、時延切換用中間アダプタ１７２ｃを備える。具体的には、時延切換用スライドスイッチ１５１に時延切換用中間アダプタ１７２ｃ内の連動機構を介して時延切換用延長スライドスイッチ１７２ｂが取り付けられる。そして、時延切換用延長スライドスイッチ１７２ｂを図３の矢印ａ方向（または矢印ｂ方向）に移動させると時延切換用中間アダプタ１７２ｃの連動機構を介して時延切換用設定部１５０の時延切換用スライドスイッチ１５１も図３の矢印ａ方向（または矢印ｂ方向）に移動する。
【００４６】
そして、感度切換用延長スライドスイッチ１７１ｂには、突設部１７１ａが突出して設けられている。突設部１７１ａは、感度切換用延長スライドスイッチ１７１ｂに機械的に連結されており、一部が時延切換用延長スライドスイッチ１７２ｂの動線上に位置し、感度切換用延長スライドスイッチ１７１ｂの矢印ａ方向の移動とともに移動して時延切換用延長スライドスイッチ１７２ｂの当接部１７２ａに当接する。そしてさらに矢印ａ方向に移動させると感度切換用延長スライドスイッチ１７１ｂの移動とともに時延切換用延長スライドスイッチ１７２ｂも移動する。
【００４７】
このような拘束設定部１７０により感度切換用設定部１２０および時延切換用設定部１５０が設定される。具体的には、図５（ａ）で示すように、感度切換用延長スライドスイッチ１７１ｂが最も低感度側（図５（ａ），（ｂ）の下側で５００ｍＡ）にある場合には、突設部１７１ａも下側にあるため、時延切換用延長スライドスイッチ１７２ｂは拘束されないで、矢印ｃ方向に移動が可能となり、所望の時延速度（０ｍｓ／２００ｍｓ／５００ｍｓ／１０００ｍｓ）が選択できる。
【００４８】
そして、高速動作時（０ｍｓ）にあっては、時延切換用設定部１５０で高速導通部が選択されて漏電検出部１４０と引外し装置１６０とを直接接続して駆動電圧信号を引外し装置１６０へ出力する。このようにして高速動作による遮断がなされる。
また、時延動作時（２００ｍｓ／５００ｍｓ／１０００ｍｓ）にあっては、時延切換用設定部１５０で充電抵抗と充電回路とを通過するような経路が選択されて、漏電検出部１４０から出力される駆動電圧信号が充電抵抗に印可されて充電電流を出力し、この充電電流が充電回路に入力されると充電回路への充電を開始し、時延時間経過後に充電終了して所定電圧に到達した駆動電圧信号を引外し装置１６０へ出力する。このようにして時延動作による遮断がなされる。
【００４９】
しかしながら、図６（ａ）で示すように、感度切換用延長スライドスイッチ１７１ｂが矢印ｄ方向に移動されて最も高感度側（図６（ａ），（ｂ）の上側であって３０ｍＡ）に設定される場合には、突設部１７１ａも矢印ｄ方向に移動し、時延切換用延長スライドスイッチ１７２ｂの当接部１７２ａと接触して時延切換用延長スライドスイッチ１７２ｂも移動し、時延切換用延長スライドスイッチ１７２ｂが最高の時延速度（０ｍｓ）に拘束されて強制的に最高速度に設定される。
【００５０】
この場合、時延切換用設定部１５０の内部で高速導通部が選択されて、漏電検出部１４０から出力される駆動電圧信号がそのまま引外し装置１６０へ入力されるようになされる。これにより、高速動作を実現する。
【００５１】
なお、このような設定例であるが、具体的には以下の表１に示すようになる。この表では感度切換用スライドスイッチ１２１と時延切換用スライドスイッチ１５１との設定位置の対応表（感度切換用延長スライドスイッチ１７１ｂと時延切換用延長スライドスイッチ１７２ｂとの設定位置の対応表でもある）を示す。
【００５２】
【表１】
2011086434.tif 000003
【００５３】
例えば、感度切換用スライドスイッチ１２１で低感度５００ｍＡと設定した場合、時延切換用スライドスイッチ１５１で時延時間０ｍｓ、２００ｍｓ、５００ｍｓ、１０００ｍｓという全種の設定ができる。そして、感度切換用スライドスイッチ１２１で通常感度１００ｍＡと設定した場合は、時延切換用スライドスイッチ１５１で時延時間０ｍｓと２００ｍｓという二種の設定となる。つまり、感度切換用スライドスイッチ１２１の移動分だけ、時延切換用スライドスイッチ１５１を移動させることができる。そして、感度切換用スライドスイッチ１２１で高感度３０ｍＡと設定したときは、時延切換用スライドスイッチ１５１では時延時間０ｍｓという高速動作のみ可能である。
【００５４】
以上本発明の漏電遮断器１００について説明した。このような構成を採用することで、感度切換用設定部１２０は、一回路によるスイッチとなり、従来技術のような二回路によるスイッチの感度切換用設定部と比較しても、小型化および低コスト化を実現する。また機械のみによる設定としているため感度切換用設定部１２０と時延切換用設定部１５０とを結ぶパターンがなくなり、配線パターンが縮小・簡素化される。
さらに、全ての回路がフィルタ回路１３０，漏電検出部１４０を通過するため、この点でも配線パターンを省略できる。
【００５５】
このような本発明によれば、検出感度を低感度から高感度に設定すると、機械動作により強制的に高速動作に設定する漏電遮断器を提供できる。
【産業上の利用可能性】
【００５６】
本発明は、特に低電圧配電系統における過電流保護機能および地絡電流保護機能を実現する漏電遮断器として適用することができる。
【符号の説明】
【００５７】
１００：漏電遮断器
１１０：零相変流器
１１０ａ：鉄心
１１０ｂ：出力巻線
１２０：感度切換用設定部
１２１：感度切換用スライドスイッチ
１３０：フィルタ回路
１４０：漏電検出部
１５０：時延切換用設定部
１５１：時延切換用スライドスイッチ
１６０：引外し装置
１７０：拘束設定部
１７１：感度切換用延長設定部
１７１ａ：突設部
１７１ｂ：感度切換用延長スライドスイッチ
１７１ｃ：感度切換用中間アダプタ
１７２：時延切換用延長設定部
１７２ａ：当接部
１７２ｂ：時延切換用延長スライドスイッチ
１７２ｃ：時延切換用中間アダプタ
１８０：プリント基板
Ａ，Ｂ：機械的拘束
【図１】
2011086434.tif 000004
【図２】
2011086434.tif 000005
【図３】
2011086434.tif 000006
【図４】
2011086434.tif 000007
【図５】
2011086434.tif 000008
【図６】
2011086434.tif 000009
【図７】
2011086434.tif 000010
【図８】
2011086434.tif 000011